(57)【要約】【課題】電線の曲げ角度が大きくなってもプロテクタの端部近傍で電線に小曲率半径の急な曲げが発生するのを防止できるプロテクタ付きのワイヤハーネスを提供する。【解決手段】外被付き電線１２と、その電線１２を挿通させる電線挿通孔２４が形成された筒状壁部２５を有するプロテクタ２０とを備えたワイヤハーネス１であって、電線挿通孔２４を開口させる筒状壁部２５の開口端部２６が、筒状壁部２５より径方向に厚く形成されており、開口端部２６に形成される軸方向一端側の端面部２６ａが、径方向における筒状壁部２５の厚さＴ１の半分を超える曲率半径で湾曲するとともに軸方向一端側に凸形状をなし、電線１２がプロテクタ２０に対し屈曲されるときに電線１２の曲げ内側面を案内する湾曲ガイド面２６ｇを有している。【選択図】図１
2017073850.tif 000002
【特許請求の範囲】
【請求項１】
電線と、該電線を挿通させる挿通孔が形成された筒状壁部を有するプロテクタと、を備えたワイヤハーネスであって、
前記挿通孔を開口させる前記筒状壁部の開口端部が、前記筒状壁部より径方向に厚く形成されており、
前記開口端部に形成される前記筒状壁部の軸方向一端側の端面部が、前記径方向における前記筒状壁部の厚さの半分を超える曲率半径で湾曲するとともに前記軸方向一端側に凸形状をなし、前記電線が前記プロテクタに対し屈曲されるときに前記電線の曲げ内側面を案内する湾曲ガイド面を有していることを特徴とするワイヤハーネス。
【請求項２】
前記湾曲ガイド面は、中心角が１８０度以上の略円弧状の横断面を有していることを特徴とする請求項１に記載のワイヤハーネス。
【請求項３】
前記湾曲ガイド面の曲率中心が、前記筒状壁部の厚さ中心の半径位置に対して、前記径方向に偏倚している構成とすることを特徴とする請求項１または請求項２に記載のワイヤハーネス。
【請求項４】
前記湾曲ガイド面の曲率中心が、前記筒状壁部の厚さ中心の半径位置に位置していることを特徴とする請求項１または請求項２に記載のワイヤハーネス。
【発明の詳細な説明】
【技術分野】
【０００１】
本発明は、ワイヤハーネスに関し、特にプロテクタ付きのワイヤハーネスに関する。
【背景技術】
【０００２】
自動車等の車両の開閉部や可動部に配索されるワイヤハーネスにおいては、プロテクタに通した被覆電線に対して、そのプロテクタの端部側で繰り返し曲げが加えられる場合がある。その場合、繰返し曲げに対し、電線を保護する被覆の摩耗や傷を抑える必要がある。
【０００３】
そこで、従来、プロテクタの樋状部に連設した干渉吸収部に樋状部の内側面から外向きに拡開しつつ緩く湾曲するガイド面を形成し、硬質被覆電線の振動時や屈曲時に絶縁被覆が干渉吸収部のガイド面に接触するようにしたものがある（例えば、特許文献１参照）。
【０００４】
また、車両のボディにワイアやハーネスを固定するハーネス固定具に、硬質被覆電線の絶縁被覆が接触するガイド面を形成したものも知られている（例えば、特許文献２参照）。
【先行技術文献】
【特許文献】
【０００５】
【特許文献１】特開２００７−１７４８５２号公報
【特許文献２】特開２００３−２８９６１８号公報
【発明の概要】
【発明が解決しようとする課題】
【０００６】
しかし、上記従来のワイヤハーネスにあっては、電線に曲げ角度の大きな曲げが加わると、干渉吸収部のガイド面の略全長に接触した被覆電線が、干渉吸収部の端縁部で小曲率半径で折れ曲がってしまうという問題があった。例えば、ワイヤハーネスの輸送時や組付け前の段取り段階等において、プロテクタ付きのワイヤハーネスが硬質のケースに入れて運ばれたり出し入れされたりするとき、電線がプロテクタの端部近傍で大きく曲げられる場合があった。
【０００７】
また、電線の曲げ角度が大きくなっても干渉吸収部のガイド面の端縁部で電線が折れ曲がらないようにするためには、干渉吸収部付きのプロテクタのサイズを電線の長さ方向および径方向のそれぞれで増加させる必要があり、プロテクタの小型化や扁平化が困難になってしまうという問題があった。
【０００８】
本発明は、このような従来の未解決の課題を解消すべくなされたものであり、プロテクタに対する電線の曲げ角度が大きくなってもプロテクタの端部近傍で電線に小曲率半径の急な曲げが発生するのを確実に防止できるプロテクタ付きのワイヤハーネスを提供することを目的とする。
【課題を解決するための手段】
【０００９】
本発明に係るワイヤハーネスは、上記目的達成のため、電線と、該電線を挿通させる挿通孔が形成された筒状壁部を有するプロテクタと、を備えたワイヤハーネスであって、前記挿通孔を開口させる前記筒状壁部の開口端部が、前記筒状壁部より径方向に厚く形成されており、前記開口端部に形成される前記筒状壁部の軸方向一端側の端面部が、前記径方向における前記筒状壁部の厚さの半分を超える曲率半径で湾曲するとともに前記軸方向一端側に凸形状をなし、前記電線が前記プロテクタに対し屈曲されるときに前記電線の曲げ内側面を案内する湾曲ガイド面を有していることを特徴とする。
【００１０】
したがって、本発明では、プロテクタに挿通した電線に曲げ角度の大きな曲げが加えられたとしても、プロテクタの開口端部に形成された湾曲ガイド面によって電線の曲げ内側面が所定の曲率半径に案内され、小曲率半径で折れ曲がってしまうことが確実に防止されることになる。
【００１１】
また、湾曲ガイド面を形成しながらも、従来の曲率半径の大きい干渉吸収部を延長する場合のようにプロテクタが電線長さ方向および電線径方向のそれぞれで大きいものとなることがなく、プロテクタの小型化や扁平化が困難になることもない。
【００１２】
本発明のワイヤハーネスにおいて、前記湾曲ガイド面は、中心角が１８０度以上の略円弧状の横断面を有しているとよい。また、前記湾曲ガイド面の曲率中心が、前記筒状壁部の厚さ中心の半径位置に対して、前記径方向に偏倚している構成とすることもできるが、前記湾曲ガイド面の曲率中心が、前記筒状壁部の厚さ中心の半径位置に位置している構成とすることができる。
【発明の効果】
【００１３】
本発明によれば、プロテクタに対する電線の曲げ角度が大きくなっても、プロテクタの端部近傍で電線に小曲率半径の急な曲げが発生するのを確実に防止できるプロテクタ付きのワイヤハーネスを提供することができる。
【図面の簡単な説明】
【００１４】
【図１】本発明の第１の実施の形態に係るプロテクタ付きのワイヤハーネスの要部外観斜視図である。
【図２】（ａ）は、本発明の第１の実施の形態に係るワイヤハーネスに装着されるプロテクタの要部分解斜視図であり、（ｂ）は、そのプロテクタの要部斜視図である。
【図３】（ａ）は、本発明の第１の実施の形態に係るワイヤハーネスに装着されるプロテクタの開口部の部分拡大図であり（ｂ）は（ａ）中のIIIＢ−IIIＢ矢視断面図である。
【図４】（ａ）は、本発明の第２の実施の形態に係るワイヤハーネスに装着されるプロテクタの要部分解斜視図であり、（ｂ）は、そのプロテクタの要部斜視図である。
【図５】（ａ）は、本発明の第２の実施の形態に係るワイヤハーネスに装着されるプロテクタの開口部の部分拡大図であり（ｂ）は（ａ）中のＶＢ−ＶＢ矢視断面図である。
【図６】（ａ）は、本発明の第３の実施の形態に係るワイヤハーネスに装着されるプロテクタの開口部の部分拡大図であり（ｂ）は（ａ）中のＶＩＢ−ＶＩＢ矢視断面図である。
【図７】（ａ）は、本発明の第４の実施の形態に係るワイヤハーネスに装着されるプロテクタの開口部における湾曲ガイド面付近の部分拡大断面図であり、（ｂ）は、本発明の第５の実施の形態に係るワイヤハーネスに装着されるプロテクタの開口部における湾曲ガイド面付近の部分拡大断面図である。
【発明を実施するための形態】
【００１５】
以下、本発明を実施するための形態について図面を参照して説明する。
【００１６】
（第１の実施の形態）
第１の実施の形態のワイヤハーネスは、自動車用のプロテクタ付きのワイヤハーネスとして構成されている。
【００１７】
図１ないし図３に示すように、本実施形態のワイヤハーネス１は、例えばそれぞれ絶縁被覆された複数本のコア電線１１を含む外被付き電線１２の端部にコネクタ１３を装着するとともに、外被付き電線１２を取り囲むようにプロテクタ２０を取り付けたものである。
【００１８】
すなわち、外装チューブ１５が外装されたワイヤハーネス１の特定の長さ区間を略角形筒状のプロテクタ２０内に収納し、そのワイヤハーネス１の特定の長さ区間をプロテクタ２０によって保護するようになっている。
【００１９】
ワイヤハーネス１は、複数のコア電線１１にそれぞれ図示しない複数の接続端子を装着して、それらコア電線１１をコネクタ１３の端子挿入孔内にそれぞれ挿入し、ユニット化したものである。このワイヤハーネス１は、車両に搭載される電装機器を電源や制御機器等に接続できるように構成されている。
【００２０】
複数のコア電線１１は、それぞれの詳細構造を図示しないが、線状の導体と、その導体を囲む筒状の被覆とを有している。導体は、例えば複数本の軟銅線である素線を撚り合わせた円形より線で構成されている。勿論、より線でなく単線の芯線としてもよいし、複数の導体線を圧縮により一体化してもよい。被覆は、例えばポリ塩化ビニルまたはポリエチレン等を主体とする樹脂（合成樹脂）製の円筒形の絶縁材で構成されている。
【００２１】
外被付き電線１２には、外被としての外装チューブ１５が装着されている。
【００２２】
この外装チューブ１５は、例えば塩化ビニル樹脂からなるシース、あるいは、ポリプロピレンやナイロン樹脂等の絶縁性の樹脂からなる可撓性の蛇腹管であり、外被付き電線１２をその外装区間の全域で所定の離間距離内に経路規制できるようになっている。
【００２３】
外被付き電線１２におけるコア電線１１の本数や各コア電線１１の種類は任意であり、コネクタ１３の個数も任意である。
【００２４】
外被付き電線１２は、また、複数のコア電線１１が外装チューブ１５内に遊挿されたものであってもよいし、一本のチューブドワイヤ電線や１本のシールド線であってもよい。ただし、外装チューブ１５の可撓性や弾性により、チューブ付きの外被付き電線１２を有するワイヤハーネス１は、曲げや捩りが可能になっている。
【００２５】
図２および図３に示すように、プロテクタ２０は、外被付き電線１２の収納が可能な凹部２１を形成するプロテクタ本体部２２と、凹部２１の開口側（図２（ａ）中の上方側）に開閉可能に配置された蓋部２３とを備えている。
【００２６】
このプロテクタ２０は、図２（ｂ）に示すように、プロテクタ本体部２２および蓋部２３により、全体として略正方形または長方形の横断面形状となる角筒状の筒状壁部２５を構成している。勿論、プロテクタ本体部２２および蓋部２３を一体に成形して筒状壁部２５を単一部品としたり、プロテクタ本体部２２および蓋部２３を対向する一対の樋状部品としたりしてもよいことはいうまでもない。
【００２７】
プロテクタ本体部２２は、全体として溝状の凹部２１を形成する所定長さの樹脂製のものであり、その横断面が略Ｕ字形状の凹形状をなしている。また、蓋部２３は、プロテクタ本体部２２の左右の側壁２２ａ、２２ｂによって閉蓋状態に支持され得る所定長さの樹脂製の板状体であり、プロテクタ本体部２２と略同一幅である。ここにいう樹脂は、例えばポリプロピレンまたはポリアミド樹脂である。
【００２８】
蓋部２３は、複数のロック爪２３ａ、２３ｂによってプロテクタ本体部２２の左右の側壁２２ａ、２２ｂに固定されるようになっており、プロテクタ本体部２２の左右の側壁２２ａ、２２ｂには、蓋部２３のロック爪２３ａ、２３ｂを係止可能なロック受け部２２ｃ、２２ｄが設けられている。プロテクタ本体部２２に対する蓋部２３の係止構造が特に限定されるものでないことは勿論である。
【００２９】
蓋部２３によりプロテクタ本体部２２の凹部２１の開放端が閉止されることで、プロテクタ２０には、凹部２１に対応する電線挿通孔２４が形成されるとともに、電線挿通孔２４の一端が開口する一方の開口端部２６と、電線挿通孔２４の図外の他端が開口する他方の開口端部が形成されている。
【００３０】
以下、一方の開口端部２６を有するプロテクタ２０の一端側の構成について詳述し、これと同一または類似する構成を有する他端側については説明を省略する。
【００３１】
図２および図３（ａ）に示すように、プロテクタ２０においては、電線挿通孔２４を開口させる筒状壁部２５の開口端部２６は、その径方向の壁厚が筒状壁部２５の壁厚より大きく、すなわち、厚くなるように形成されている。
【００３２】
また、図３（ｂ）に示すように、開口端部２６に形成される筒状壁部２５の軸方向一端側の端面部２６ａが、径方向における筒状壁部２５の厚さＴ１の半分（（Ｔ１）／２）を超える曲率半径Ｒ１、例えば厚さＴ１以上の曲率半径Ｒ１で湾曲するとともに、軸方向一端側（図３（ｂ）中で左側）に凸形状をなしている。
【００３３】
また、この端面部２６ａは、外装チューブ１５付きの外被付き電線１２であるワイヤハーネス１がプロテクタ２０に対し屈曲されるときに、その外被付き電線１２の外装チューブ１５の曲げ内側面を案内する湾曲ガイド面２６ｇを形成している。
【００３４】
この湾曲ガイド面２６ｇは、中心角θが１８０度以上の略円弧状の横断面を有しており、湾曲ガイド面２６ｇの曲率中心が、筒状壁部２５の厚さ中心の半径位置（図３（ｂ）中の一点鎖線Ｃ１上）に位置している。
【００３５】
本実施形態では、開口端部２６の径方向における壁厚Ｔ２は、例えば筒状壁部２５の厚さＴ１の２倍またはそれ以上であり、開口端部２６の端面部２６ａに形成される湾曲ガイド面２６ｇの曲率半径Ｒ１は、筒状壁部２５の厚さＴ１と等しいかそれ以上の半径値に設定されている。
【００３６】
開口端部２６の径方向における壁厚Ｔ２および湾曲ガイド面２６ｇの曲率半径Ｒ１は、開口端部２６の周方向の各位置で略一定値に設定されているが、ワイヤハーネス１の外被付き電線１２がその曲げ角度に応じて外装チューブ１５を湾曲ガイド面２６ｇに当接させるときに、湾曲ガイド面２６ｇの曲率半径Ｒ１が徐々に変化してもよい。
【００３７】
すなわち、湾曲ガイド面２６ｇは、図１ないし図３中では円柱面状であるが、筒状壁部２５の内壁面２５ａから離れる（外被付き電線１２の曲げ角度が増加する）に従って湾曲ガイド面２６ｇの曲率半径Ｒ１が徐々に変化してもよい。
【００３８】
開口端部２６の端面部２６ａは、筒状壁部２５の外壁面２５ｂの半径位置付近より外側で筒状壁部２５側（図３（ｂ）中の右側）に傾斜しつつ湾曲するが、その部分に形成される湾曲ガイド面２６ｇの曲率半径Ｒ１が筒状壁部２５の厚さＴ１と等しいかそれ以上の半径値から徐々に変化してもよい。例えば、図３（ｂ）中に示す中心角θの範囲より筒状壁部２５側では、湾曲ガイド面２６ｇの曲率半径Ｒ１が筒状壁部２５の厚さＴ１より小さくなってもよい。
【００３９】
次に、作用について説明する。
【００４０】
上述のように構成された本実施形態のワイヤハーネス１においては、プロテクタ２０に挿通した外装チューブ１５付きの外被付き電線１２に曲げ角度の大きな曲げが加えられたとしても、プロテクタ２０の開口端部２６に形成された湾曲ガイド面２６ｇによって外被付き電線１２の外装チューブ１５の曲げ内側面１５ａが筒状壁部２５の厚さＴ１以上の曲率半径Ｒ１に案内される。したがって、ワイヤハーネス１の外被付き電線１２が小曲率半径で折れ曲がってしまうことが確実に防止される。
【００４１】
また、プロテクタ２０の開口端部２６に湾曲ガイド面２６ｇを形成しながらも、従来の曲率半径の大きい干渉吸収部を延長する場合に比べると、プロテクタ２０が電線長さ方向および電線径方向のそれぞれで大きいものとなることがなく、その小型化や扁平化が容易化される。
【００４２】
さらに、湾曲ガイド面２６ｇは、中心角θが１８０度以上の略円弧状の横断面を有しているので、外被付き電線１２に折り返す程度に曲げ角度の大きな曲げが加えられたとしても、ワイヤハーネス１の外被付き電線１２が小曲率半径で折れ曲がってしまうことが確実に防止される。
【００４３】
加えて、湾曲ガイド面２６ｇの曲率中心が筒状壁部２５の厚さ中心の半径位置に位置しているので、プロテクタ２０の成形性も良い。
【００４４】
このように、本実施形態のワイヤハーネス１においては、プロテクタ２０に対する外被付き電線１２の曲げ角度が大きくなっても、プロテクタ２０の端部近傍で外被付き電線１２に小曲率半径の急な曲げが発生するのを確実に防止できるプロテクタ付きのワイヤハーネス１を提供することができる。
【００４５】
（第２の実施の形態）
図４および図５は、本発明の第２の実施の形態に係るプロテクタ付きのワイヤハーネス２を示している。なお、本実施形態のワイヤハーネス２は、第１の実施の形態における外被付き電線１２にプロテクタ３０を外装したものである。
【００４６】
図４（ａ）および図４（ｂ）に示すように、プロテクタ３０は、外被付き電線１２の収納が可能な凹部３１を形成するプロテクタ本体部３２と、凹部３１の開口側（図４（ａ）中の上方側）に第１の実施の形態と同様な複数のロック爪２３ａ、２３ｂおよびロック受け部２２ｃ、２２ｄを介して開閉可能に配置された蓋部３３とを備えている。
【００４７】
プロテクタ本体部３２は、その横断面が略Ｕ字形状の凹形状をなしており、蓋部３３は、プロテクタ本体部３２の左右の側壁３２ａ、３２ｂによって閉蓋状態に支持され得る所定長さの樹脂製の板状体である。
【００４８】
このプロテクタ３０には、凹部３１に対応する電線挿通孔３４が形成されるとともに、電線挿通孔３４の一端が開口する一方の開口端部３６と、電線挿通孔３４の図外の他端が開口する他方の開口端部とが形成されている。
【００４９】
図５（ａ）および図５（ｂ）に示すように、プロテクタ３０においては、電線挿通孔３４を開口させる筒状壁部３５の開口端部３６は、その径方向の壁厚が筒状壁部３５の壁厚より厚くなるように形成されている。
【００５０】
そして、図５（ｂ）に示すように、開口端部３６に形成される筒状壁部３５の軸方向一端側の端面部３６ａが、径方向における筒状壁部３５の厚さＴ１の半分を超える曲率半径Ｒ１で湾曲するとともに、軸方向一端側（図５（ｂ）中で左側）に凸形状をなしている。
【００５１】
また、この端面部３６ａは、外装チューブ１５付きの外被付き電線１２であるワイヤハーネス１がプロテクタ３０に対し屈曲されるときに、その外被付き電線１２の外装チューブ１５の曲げ内側面を案内する湾曲ガイド面３６ｇを形成している。
【００５２】
この湾曲ガイド面３６ｇは、中心角θが１８０度以上の略円弧状の横断面を有しており、湾曲ガイド面３６ｇの曲率中心が、筒状壁部３５の厚さ中心の半径位置より外側（図５（ｂ）中の一点鎖線Ｃ２より上方側）に位置している。
【００５３】
筒状壁部３５の径方向における開口端部３６壁厚Ｔ２は、例えば筒状壁部３５の厚さＴ１の２倍またはそれ以上（例えば３倍）であり、開口端部３６の端面部３６ａに形成される湾曲ガイド面３６ｇの曲率半径Ｒ１は、筒状壁部３５の厚さＴ１と等しいかそれ以上の半径値に設定されている。
【００５４】
本実施形態においては、上述の各実施の形態と同様に、プロテクタ３０に対する外被付き電線１２の曲げ角度が大きくなっても、プロテクタ３０の端部近傍で外被付き電線１２に小曲率半径の急な曲げが発生するのを確実に防止できるプロテクタ付きのワイヤハーネス２を提供できる。しかも、湾曲ガイド面３６ｇの曲率中心が、筒状壁部３５の厚さ中心の半径位置より外側に位置しているので、プロテクタ３０の電線収容率を高めることができる。
【００５５】
（第３の実施の形態）
図６（ａ）および図６（ｂ）は、本発明の第３の実施の形態に係るプロテクタ付きのワイヤハーネスを示している。なお、本実施形態のワイヤハーネスは、第１の実施の形態における外被付き電線１２、例えば２本の外被付き電線１２に対してプロテクタ４０を外装したものである。
【００５６】
図６（ａ）および図６（ｂ）に示すように、プロテクタ４０は、外被付き電線１２の収納が可能な凹部４１を形成するプロテクタ本体部４２と、凹部４１の開口側（図６（ａ）中の上方側）に開閉可能に配置された蓋部４３とを備えている。
【００５７】
プロテクタ本体部４２は、その横断面が略Ｕ字形状の凹形状をなしており、蓋部４３は、プロテクタ本体部４２の左右の側壁４２ａ、４２ｂによって閉蓋状態に支持され得る所定長さの樹脂製の板状体である。
【００５８】
このプロテクタ４０には、凹部４１に対応する電線挿通孔４４が形成されるとともに、電線挿通孔４４の一端が開口する一方の開口端部４６と、電線挿通孔４４の図外の他端が開口する他方の開口端部が形成されている。
【００５９】
図６（ａ）および図６（ｂ）に示すように、プロテクタ４０においては、電線挿通孔４４を開口させる筒状壁部４５の開口端部４６は、その径方向の壁厚が筒状壁部４５の壁厚より厚くなるように形成されている。
【００６０】
そして、図６（ｂ）に示すように、開口端部４６に形成される筒状壁部４５の軸方向一端側の端面部４６ａが、径方向における筒状壁部４５の厚さＴ１の半分を超える曲率半径Ｒ１で湾曲するとともに、軸方向一端側（図６（ｂ）中で左側）に凸形状をなしている。
【００６１】
また、この端面部４６ａは、外装チューブ１５付きの外被付き電線１２であるワイヤハーネス１がプロテクタ４０に対し屈曲されるときに、その外被付き電線１２の外装チューブ１５の曲げ内側面を案内する湾曲ガイド面４６ｇを形成している。
【００６２】
この湾曲ガイド面４６ｇは、中心角θが１８０度以上の略円弧状の横断面を有しており、湾曲ガイド面４６ｇの曲率中心が、筒状壁部４５の厚さ中心の半径位置より内側（図５（ｂ）中の一点鎖線Ｃ３より下方側）に位置している。
【００６３】
筒状壁部４５の径方向における開口端部４６壁厚Ｔ２は、例えば筒状壁部４５の厚さＴ１の２倍またはそれ以上であり、開口端部４６の端面部４６ａに形成される湾曲ガイド面４６ｇの曲率半径Ｒ１は、筒状壁部４５の厚さＴ１と等しいかそれ以上の半径値に設定されている。
【００６４】
本実施形態においては、上述の各実施の形態と同様に、プロテクタ４０に対する外被付き電線１２の曲げ角度が大きくなっても、プロテクタ４０の端部近傍で外被付き電線１２に小曲率半径の急な曲げが発生するのを確実に防止できるプロテクタ付きのワイヤハーネスを提供できる。しかも、湾曲ガイド面４６ｇの曲率中心が筒状壁部４５の厚さ中心の半径位置より内側に位置しているので、プロテクタ４０のサイズおよび搭載スペースを抑えることができる。
【００６５】
（第４の実施の形態）
図７（ａ）は、本発明の第４の実施の形態に係るワイヤハーネスに装着されるプロテクタ５０の要部拡大断面図である。本実施の形態に係るワイヤハーネスは、図７（ａ）に部分的に示すプロテクタ５０を外被付き電線１２に外装するものである。なお、以下に説明する要部以外の形状は、第１の実施の形態のプロテクタ２０と同様である。
【００６６】
プロテクタ５０は、その開口端部５６の端面部５６ａが、筒状壁部２５の外壁面２５ｂの半径位置付近より外側で筒状壁部２５側（図７（ａ）中の右側）に傾斜しつつ湾曲するが、中心角θの範囲内では、その部分に形成される湾曲ガイド面５６ｇの曲率半径Ｒ１が筒状壁部２５の厚さＴ１と等しいかそれ以上の半径値となっている。一方、図７（ａ）中に示す中心角θの範囲より筒状壁部２５側では、湾曲ガイド面５６ｇの曲率半径Ｒ１が急減し、開口端部５６が切り欠かれた状態となっている。
【００６７】
開口端部５６の内径は、筒状壁部２５の内壁面２５ａと略同一径に設定されている。湾曲ガイド面５６ｇの形成範囲は、中心角θの方向で筒状壁部２５の外側に、すなわち、図７（ａ）中の時計回り方向にわずかに偏倚しているが、内外均等でもよい。また、図７（ａ）中に点線で示すように、電線挿通孔２４内に拡張してもよい。
【００６８】
本実施形態においても、上述の第１ないし第３の実施の形態と同様の効果が得られる。また、上述の各実施の形態の効果に加えて、開口端部５６の端面部５６ａが筒状壁部２５の半径方向外側に大きく偏倚しているので、プロテクタ５０の電線収容率を高めることができる。
【００６９】
しかも、図７（ａ）中に示す中心角θの範囲より筒状壁部２５側では、開口端部５６が切り欠かれているので、プロテクタ５０を成形する材料の節約や肉厚の均一化により成形時のひけの発生を防止することができる。
【００７０】
（第５の実施の形態）
図７（ｂ）は、本発明の第５の実施の形態に係るワイヤハーネスに装着されるプロテクタ６０の部分拡大断面図である。本実施の形態に係るワイヤハーネスは、図７（ｂ）に部分的に示すプロテクタ６０を外被付き電線１２に外装するものであり、その要部以外の形状は、第１の実施の形態のプロテクタ２０と同様である。
【００７１】
プロテクタ６０は、その開口端部６６の端面部６６ａが、筒状壁部２５の外壁面２５ｂの半径位置付近より外側で筒状壁部２５側（図７（ｂ）中の右側）に傾斜しつつ湾曲するが、中心角θの範囲内では、その部分に形成される湾曲ガイド面６６ｇの曲率半径Ｒ１が筒状壁部２５の厚さＴ１の半分を超える半径値、例えば厚さＴ１と等しい半径値となっている。一方、図７（ｂ）中に示す中心角θの範囲より筒状壁部２５側では、湾曲ガイド面６６ｇの曲率半径Ｒ１が急減し、開口端部６６が切り欠かれた状態となっている。
【００７２】
また、開口端部６６の外径は、筒状壁部２５の外壁面２５ｂと略同一径に設定されている。湾曲ガイド面６６ｇの形成範囲は、中心角θの方向で筒状壁部２５の内側に、すなわち、図７（ｂ）中の反時計回り方向にわずかに偏倚しているが、内外均等でもよい。また、同図中に点線で示すように開口端部６６の開口径を大きくするように湾曲ガイド面６６ｇの曲率半径Ｒ１の中心位置を角度位置に応じて変化させてもよい。
【００７３】
本実施形態においても、上述の第１ないし第３の実施の形態と同様の効果が得られる。また、上述の各実施の形態の効果に加えて、開口端部６６の端面部６６ａが筒状壁部２５の半径方向内側に大きく偏倚しているので、プロテクタ６０のサイズおよび搭載スペースを抑えることができる。しかも、図７（ｂ）中に示す中心角θの範囲より筒状壁部２５側では、開口端部６６が切り欠かれているので、プロテクタを成形する材料の節約や肉厚の均一化により成形時のひけの発生を防止することができる。
【００７４】
なお、上述の各実施の形態では、プロテクタが、それぞれ矩形横断面を有するものとしたが、横断面が多角形でなく、丸められた樋形状であってもよい。また、開口端部は、軸方向の端部としていたが、屈曲形状や湾曲形状の途中に開口部が形成された開口端部であってもよい。
【００７５】
以上説明したように、本発明は、プロテクタに対する電線の曲げ角度が大きくなっても、プロテクタの端部近傍で電線に小曲率半径の急な曲げが発生するのを確実に防止できるプロテクタ付きのワイヤハーネスを提供することができるものであり、プロテクタ付きのワイヤハーネス全般に有用である。
【符号の説明】
【００７６】
１、２  ワイヤハーネス
１１  コア電線
１２  外被付き電線
１３  コネクタ
１５  外装チューブ
１５ａ  内側面
２０、３０、４０、５０、６０  プロテクタ
２１、３１、４１  凹部
２２、３２、４２  プロテクタ本体部
２２ａ、２２ｂ、３２ａ、３２ｂ、４２ａ、４２ｂ  側壁
２２ｃ、２２ｄ  ロック受け部
２３、３３、４３、  蓋部
２３ａ、２３ｂ  ロック爪
２４、３４、４４  電線挿通孔
２５、３５、４５  筒状壁部
２５ａ、３５ａ、４５ａ  内壁面
２５ｂ、３５ｂ、４５ｂ  外壁面
２６、３６、４６、５６、６６  開口端部
２６ａ、３６ａ、４６ａ、５６ａ、６６ａ  端面部
２６ｇ、３６ｇ、４６ｇ、５６ｇ、６６ｇ  湾曲ガイド面
Ｒ１  曲率半径
Ｔ１  壁厚（筒状壁部の厚さ）
Ｔ２  壁厚（開口端部の厚さ）
θ  中心角
【図１】
2017073850.tif 000003
【図２】
2017073850.tif 000004
【図３】
2017073850.tif 000005
【図４】
2017073850.tif 000006
【図５】
2017073850.tif 000007
【図６】
2017073850.tif 000008
【図７】
2017073850.tif 000009